(57)【要約】【課題】  気嚢内に配置可能であり、携帯に便利で空気の充填も省力化された空気充填装置、この空気充填装置を内蔵した浮袋などの気嚢を提供する。【解決手段】  気嚢内部に配置可能な空気充填装置であって、円形筒１、この円形筒１内に配置されるピストン２、このピストン２に嵌接される封止ゴムリング３、ハンドル５、このハンドル５と前記ピストン２とを接続し、かつ前記円形筒１内に連通した開口Ｈを貫通するプッシュロッド６を含み、気嚢の気嚢壁を前記円形筒１の端面との間に配置して、前記円形筒１を気嚢内に配置した状態で気嚢に対して固定する環状の押圧カバー８と、前記ハンドル５を押し下げることにより前記開口Ｈと前記プッシュロッド６との間隙Ｓに挿入されて前記円形筒１の内部と外界とを封止隔離する軟質封止プラグ７とを含み、この軟質封止プラグ７は前記ハンドル５の根元部に配置されている。【選択図】図６
0003169567.tif 000002
【実用新案登録請求の範囲】
【請求項１】
円形筒（１）、この円形筒（１）内に配置されるピストン（２）、このピストン（２）に嵌接される封止ゴムリング（３）、ハンドル（５）、このハンドル（５）と前記ピストン（２）とを接続し、かつ前記円形筒（１）内に連通した開口（Ｈ）を貫通するプッシュロッド（６）を含み、
気嚢の気嚢壁を前記円形筒（１）の端面との間に配置して、前記円形筒（１）を気嚢内に配置した状態で気嚢に対して固定する環状の押圧カバー（８）と、前記ハンドル（５）を押し下げることにより前記開口（Ｈ）と前記プッシュロッド（６）との間隙（Ｓ）に挿入されて前記円形筒（１）の内部と外界とを封止隔離する軟質封止プラグ（７）とを含み、この軟質封止プラグ（７）は前記ハンドル（５）の根元部に配置されていることを特徴とする気嚢内部に配置可能な空気充填装置。
【請求項２】
前記軟質封止プラグ（７）の形状は、倒置した切頭テーパ管形で、その底部外径は前記円形筒（１）内に連通した開口（Ｈ）の内径よりも小さく、頂部外径は前記円形筒（１）内に連通した開口（Ｈ）の内径よりも大きいことを特徴とする請求項１記載の気嚢内部に配置可能な空気充填装置。
【請求項３】
前記円形筒（１）は、凸起管（９）を有し、この凸起管（９）は前記円形筒（１）と同心であるが、直径は前記円形筒（１）よりも小さく、
前記環状の押圧カバー（８）は、凸起管（１０）を有し、この凸起管（１０）は前記押圧カバー（８）と略同心であるが、直径は前記押圧カバー（８）よりも小さく、
前記円形筒（１）の凸起管（９）と前記押圧カバー（８）の凸起管（１０）とは側壁表面が互いに対応して固定接続され、前記円形筒（１）内に連通した開口（Ｈ）は、前記円形筒（１）の凸起管（９）の内孔または前記押圧カバー（８）の凸起管（１０）の内孔で構成されていることを特徴とする請求項１または２に記載の気嚢内部に配置可能な空気充填装置。
【請求項４】
前記円形筒（１）の凸起管（９）は、円形筒（１）の端面から上向きに延伸し、この凸起管（９）の外表面に外ネジが加工され、前記押圧カバー（８）の凸起管（１０）の内表面には、前記円形筒（１）の凸起管（９）の外ネジに対応する内ネジが加工され、前記円形筒（１）と前記押圧カバー（８）とは、これら２つの凸起管（９）（１０）を介して螺合固定接続を形成することを特徴とする請求項３記載の気嚢内部に配置可能な空気充填装置。
【請求項５】
前記円形筒（１）の凸起管（９）は、円形筒（１）の端面から下向きに延伸し、この凸起管（９）の内表面に内ネジが加工され、前記押圧カバー（８）の凸起管（１０）の外表面には、前記円形筒（１）の凸起管（９）の内ネジに対応する外ネジが加工され、前記円形筒（１）と前記押圧カバー（８）とは、これら２つの凸起管（９）（１０）を介して螺合固定接続を形成することを特徴とする請求項３記載の気嚢内部に配置可能な空気充填装置。
【請求項６】
前記円形筒（１）の底部端面の中心箇所には、円形孔が開設され、底部端面の中心の周りに通気孔（１１）が更に開設され、
前記円形筒（１）と略同心の軟質封止シート（４）が、前記円形筒（１）の底部端面の外側に配置され、当該軟質封止シート（４）は変形可能であるとともに、底部端面の外側から前記通気孔（１１）を被覆し、前記軟質封止シート（４）の中心箇所に柱状凸起（１２）を有し、当該柱状凸起（１２）の直径は端面中心の前記円形孔よりも大きく、軟質封止シート（４）の柱状凸起（１２）は締りばめにより前記円形孔内に係合接続して、軟質封止シート（４）を外側から円形筒（１）の底部端面に貼着させる構造を更に含むことを
特徴とする請求項１〜５の何れか１項に記載の気嚢内部に配置可能な空気充填装置。
【請求項７】
前記円形孔周りの端面上には、少なくとも２つの通気孔（１１）が開設されることを特徴とする請求項６記載の気嚢内部に配置可能な空気充填装置。
【請求項８】
同心の円形筒（１）、円形筒（１）内に配置されるピストン（２）、ピストン（２）上に嵌接される封止ゴムリング（３）、ハンドル（５）、ハンドル（５）とピストン（２）とを接続するためのプッシュロッド（６）を含む気嚢内部に配置可能な空気充填装置であって、ハンドル（５）の凸起杆（５Ｌ）に嵌接される軟質封止プラグ（７）、及び円形筒（１）を気嚢壁上に固定する環状の押圧カバー（８）を更に含み、前記円形筒（１）の頂部端面に円形筒（１）内に向けて円形筒（１）と同心の凸起管（９）が延伸し、凸起管（９）の内表面に内ネジが加工され、環状の押圧カバー（８）の端面に円形筒（１）に向けて延伸する凸起管（１０）を有し、当該凸起管（１０）は環状の押圧カバー（８）と同心であるが、直径は押圧カバー（８）よりも小さく、その外表面に円形筒（１）上の凸起管（９）の内ネジに対応する外ネジが加工され、円形筒（１）と押圧カバー（８）とは２つの凸起管（９）（１０）を介して螺合固定接続を形成し、円形筒（１）の他方の底部端面の中心に円形孔が開設され、その端面中心の周りに少なくとも２つの通気孔（１１）が更に開設され、前記軟質封止シート（４）は変形可能であり、その中心に柱状凸起（１２）が設けられ、柱状凸起（１２）の直径は端面中心の円形孔よりも大きく、軟質封止シート（４）の柱状凸起（１２）は締りばめにより円形筒（１）の底部端面の中心孔内に係合して、軟質封止シート（４）を円形筒（１）底部端面の外部に密着させ、軟質封止プラグ（７）の形状は倒置した切頭テーパ管形で、ハンドル（５）の凸起杆（５Ｌ）の根元部に嵌接され、その一端の外径は円形筒（１）の凸起管の内径よりも大きく、他端の外径は円形筒（１）の凸起管の内径よりも小さく、プッシュロッド（６）の一端は円形筒（１）内のピストン（２）に接続され、他端は円形筒（１）の凸起管を貫通してハンドル（５）凸起杆（５Ｌ）の先端に接続することを特徴とする気嚢内部に配置可能な空気充填装置。
【請求項９】
前記円形筒（１）の底部端面は、内凹入浅球面または内凹入切頭テーパ面であることを特徴とする請求項１〜８の何れか１項に記載の気嚢内部に配置可能な空気充填装置。
【請求項１０】
請求項１〜９の何れか１項に記載の気嚢内部に配置可能な空気充填装置を内蔵した気嚢。
【請求項１１】
円形筒（１）、ハンドル（５）、ブッシュロッド（３）、ピストン（２）、封止ゴムリング（３）、浮輪（Ｆ）を含む空気充填装置を内蔵した浮輪であって、環状の押圧カバー（８）、環形端カバー（１Ｔ）、軟質封止プラグ（７）、軟質封止シート（４）を更に含み、前記環状の押圧カバー（８）の端面上に環形端カバー（１Ｔ）に向けて延伸する凸起管（１０）を有し、凸起管（１０）の内部に内ネジが加工され、前記環形端カバー（１Ｔ）の端面上に環状の押圧カバー（８）に向けて延伸する凸起管（９）を有し、環形端カバー（１Ｔ）（８）上の凸起管（９）の外表面に環状の押圧カバー（８）上の凸起管（１０）の内ネジに対応する外ネジが加工され、環形端カバー（１Ｔ）の凸起管（９）は浮輪（Ｆ）の気嚢壁（１５）を貫通して環状の押圧カバー（８）の凸起管（１０）に螺接し、円形筒（１）の一端の封止端面の中心に円形孔が開設され、円形筒の端面の中心の円形孔の周りに通気孔（１１）が更に開設され、軟質封止シート（４）はその中心の柱状凸起（１２）を介して円形孔内に係合して円形筒（１）の端面外部に接続し、円形筒（１）の他端は環形端カバー（１Ｔ）に粘接され、プッシュロッド（６）の一端は円形筒（１）内のピストン（２）（４）に接続し、他端は環形端カバー（１Ｔ）、環状の押圧カバー（８）の凸起管（９）、（１０）を順次貫通した後にハンドル（５）凸起杆（５Ｌ）の先端に接続され、軟質封止プラグ（７）はハンドル（５）の凸起杆（５Ｌ）の根元部に嵌接されていることを特徴とする空気充填装置を内蔵した浮輪。
【請求項１２】
環状の押圧カバー（８）の端面上の環形端カバー（１Ｔ）に向けて延伸する凸起管（１０）は、環状の押圧カバー（８）と略同心であり、環形端カバー（１Ｔ）の端面上の環状の押圧カバー（８）に向けて延伸する凸起管（９）は、環形端カバー（１Ｔ）と略同心であることを特徴とする請求項１１記載の空気充填装置を内蔵した浮輪。
【請求項１３】
円形筒（１）の閉合端面は、内凹入浅球面または内凹入切頭テーパ面であることを特徴とする請求項１１または１２に記載の空気充填装置を内蔵した浮輪。
【請求項１４】
円形筒の閉合端面中心の円形孔周りの端面上に、少なくとも２つの通気孔（１１）が開設されることを特徴とする請求項１１〜１３の何れか１項に記載の空気充填装置を内蔵した浮輪。
【請求項１５】
軟質封止シート（４）中心の柱状凸起（１２）の直径は、円形筒（１）端面中心の円形孔の直径よりも略大きく、軟質封止シート（４）の柱状凸起（１２）は、締りばめにより円形筒（１）端面中心の円形孔内に係合して、軟質封止シート（４）を円形筒（１）端面の外部に貼着させて通気孔（１１）を閉塞することを特徴とする請求項１１〜１４の何れか１項に記載の空気充填装置を内蔵した浮輪。
【請求項１６】
軟質封止プラグ（７）の略形状は、倒置された切頭テーパ管形であり、その底部外径は、環形端カバー（１Ｔ）上の凸起管（９）の内径よりも略小さく、頂部外径は、環形端カバー（１Ｔ）上の凸起管（９）の内径よりも略大きいことを特徴とする請求項１１〜１５の何れか１項に記載の空気充填装置を内蔵した浮輪。
【請求項１７】
プッシュロッド（６）の直径は、環形端カバー（１Ｔ）上の凸起管（９）の内径よりも略小さいことを特徴とする請求項１１〜１６の何れか１項に記載の空気充填装置を内蔵した浮輪。
【考案の詳細な説明】
【技術分野】
【０００１】
本考案は、気嚢内部に配置可能な空気充填装置、及びこの空気充填装置を内蔵した浮袋をはじめとする気嚢に関するものである。
【背景技術】
【０００２】
現在、公知の空気充填製品に使用されている空気充填装置（空気ポンプ）は、いずれも気嚢（エアバッグ）の外部に配置され、空気充填装置は気嚢のエアノズルを介して気体を気嚢の内部に充填する。
気嚢を含む製品には、例えば、浮輪、スイミングジャケット、エアマット、エアテント、空気式バスタブ、及び各種空気充填式玩具などがあり、これら空気充填製品の気嚢のエアノズルは比較的小さく、同様に気嚢に空気を充填するための空気充填装置のエアノズルも小さいため、気嚢に急速に空気を充填するためには、比較的大きな圧力で気体を気嚢に急速に充填する必要がある。
【考案の概要】
【考案が解決しようとする課題】
【０００３】
一般の空気充填装置により外部から気嚢に空気を充填する際には非常に労力の消費を感じ、空気充填装置を単独で携帯するのも非常に面倒である。
また、口で空気を吹き込むことは非常に力を消費し、特に浮輪のエアノズルは一定のテクニックを掌握していなければ、口で空気を吹き込むことは非常に困難であり、子供や女性が口で浮輪に空気を充填することは更に困難であり、使用する空気ポンプを別途携帯することも非常に不便である。
【０００４】
そこで、本考案は、気嚢内に配置可能であり、携帯に便利で空気の充填も省力化された空気充填装置、この空気充填装置を内蔵した浮袋などの気嚢を提供することにある。
【課題を解決するための手段】
【０００５】
上記問題を解決するため、本考案では以下の構成が採用される。
すなわち、本考案に係る気嚢内部に配置可能な空気充填装置は、
円形筒、この円形筒内に配置されるピストン、このピストンに嵌接される封止ゴムリング、ハンドル、このハンドルと前記ピストンとを接続し、かつ前記円形筒内に連通した開口を貫通するプッシュロッドを含み、
気嚢の気嚢壁を前記円形筒の端面との間に配置して、前記円形筒を気嚢内に配置した状態で気嚢に対して固定する環状の押圧カバーと、前記ハンドルを押し下げることにより前記開口と前記プッシュロッドとの間隙に挿入されて前記円形筒の内部と外界とを封止隔離する軟質封止プラグとを含み、この軟質封止プラグは前記ハンドルの根元部に配置されている。
【０００６】
また、前記軟質封止プラグの形状は、倒置した切頭テーパ管形で、その底部外径は前記円形筒内に連通した開口の内径よりも小さく、頂部外径は前記円形筒内に連通した開口の内径よりも大きいものとする。
そして、前記円形筒は、凸起管を有し、この凸起管は前記円形筒と同心であるが、直径は前記円形筒よりも小さく、
前記環状の押圧カバーは、凸起管を有し、この凸起管は前記押圧カバーと略同心であるが、直径は前記押圧カバーよりも小さく、
前記円形筒の凸起管と前記押圧カバーの凸起管とは側壁表面が互いに対応して固定接続され、前記円形筒内に連通した開口は、前記円形筒の凸起管の内孔または前記押圧カバーの凸起管の内孔で構成されている。
【０００７】
また、前記円形筒の凸起管は、円形筒の端面から上向きに延伸し、この凸起管の外表面に外ネジが加工され、前記押圧カバーの凸起管の内表面には、前記円形筒の凸起管の外ネジに対応する内ネジが加工され、前記円形筒と前記押圧カバーとは、これら２つの凸起管を介して螺合固定接続を形成する。
なお、前記円形筒の凸起管は、円形筒の端面から下向きに延伸し、この凸起管の内表面に内ネジが加工され、前記押圧カバーの凸起管の外表面には、前記円形筒の凸起管の内ネジに対応する外ネジが加工され、前記円形筒と前記押圧カバーとは、これら２つの凸起管を介して螺合固定接続を形成することもできる。
【０００８】
さらに、前記円形筒の底部端面の中心箇所には、円形孔が開設され、底部端面の中心の周りに通気孔が更に開設され、
前記円形筒と略同心の軟質封止シートが、前記円形筒の底部端面の外側に配置され、当該軟質封止シートは変形可能であるとともに、底部端面の外側から前記通気孔を被覆し、前記軟質封止シートの中心箇所に柱状凸起を有し、当該柱状凸起の直径は端面中心の前記円形孔よりも大きく、軟質封止シートの柱状凸起は締りばめにより前記円形孔内に係合接続して、軟質封止シートを外側から円形筒の底部端面に密着させる構造を更に含むものとすることができる。
【０００９】
なお、前記円形孔周りの端面上には、２つ以上の通気孔を開設してもよい。
また、同心の円形筒、円形筒内に配置されるピストン、ピストン上に嵌接される封止ゴムリング、ハンドル、ハンドルとピストンとを接続するためのプッシュロッドを含む気嚢内部に配置可能な空気充填装置であって、ハンドルの凸起杆に嵌接される軟質封止プラグ、及び円形筒を気嚢壁上に固定する環状の押圧カバーを更に含み、前記円形筒の頂部端面に円形筒内に向けて円形筒と同心の凸起管が延伸し、凸起管の内表面に内ネジが加工され、環状の押圧カバーの端面に円形筒に向けて延伸する凸起管を有し、当該凸起管は環状の押圧カバーと同心であるが、直径は押圧カバーよりも小さく、その外表面に円形筒上の凸起管の内ネジに対応する外ネジが加工され、円形筒と押圧カバーとは２つの凸起管を介して螺合固定接続を形成し、円形筒の他方の底部端面の中心に円形孔が開設され、その端面中心の周りに少なくとも２つの通気孔が更に開設され、前記軟質封止シートは変形可能であり、その中心に柱状凸起が設けられ、柱状凸起の直径は端面中心の円形孔よりも大きく、軟質封止シートの柱状凸起は締りばめにより円形筒の底部端面の中心孔内に係合して、軟質封止シートを円形筒底部端面の外部に密着させ、軟質封止プラグの形状は倒置した切頭テーパ管形で、ハンドルの凸起杆の根元部に嵌接され、その一端の外径は円形筒の凸起管の内径よりも大きく、他端の外径は円形筒の凸起管の内径よりも小さく、プッシュロッドの一端は円形筒内のピストンに接続され、他端は円形筒の凸起管を貫通してハンドル凸起杆の先端に接続することを特徴とする気嚢内部に配置可能な空気充填装置としてもよい。
【００１０】
前記円形筒の底部端面は、内凹入浅球面または内凹入切頭テーパ面であることが好適である。
そして、本考案では、以上の空気充填装置を内蔵した気嚢に係るものとできる。
また、本考案は、空気充填装置を内蔵した浮輪に係るものであって、
円形筒、ハンドル、ブッシュロッド、ピストン、封止ゴムリング、浮輪を含む空気充填装置を内蔵した浮輪であって、環状の押圧カバー、環形端カバー、軟質封止プラグ、軟質封止シートを更に含み、前記環状の押圧カバーの端面上に環形端カバーに向けて延伸する凸起管を有し、凸起管の内部に内ネジが加工され、前記環形端カバーの端面上に環状の押圧カバーに向けて延伸する凸起管を有し、環形端カバー上の凸起管の外表面に環状の押圧カバー上の凸起管の内ネジに対応する外ネジが加工され、環形端カバーの凸起管は浮輪の気嚢壁を貫通して環状の押圧カバーの凸起管に螺接し、円形筒の一端の封止端面の中心に円形孔が開設され、円形筒端面の中心の円形孔の周りに通気孔が更に開設され、軟質封止シートはその中心の柱状凸起を介して円形孔内に係合して円形筒の端面外部に接続し、円形筒の他端は環形端カバーに粘接され、プッシュロッドの一端は円形筒内のピストンに接続し、他端は環形端カバー凸起管、環状の押圧カバーの凸起管を順次貫通した後にハンドル凸起杆の先端に接続され、軟質封止プラグはハンドルの凸起杆の根元部に嵌接されている構成とする。
【００１１】
さらに、空気充填装置を内蔵した浮輪に係る本考案は、以下の構成を採用することが好ましい。
すなわち、前記環状の押圧カバーの端面上の環形端カバーに向けて延伸する凸起管は、環状の押圧カバーと略同心であり、環形端カバーの端面上の環状の押圧カバーに向けて延伸する凸起管は、環形端カバーと略同心とする。
【００１２】
さらに、前記円形筒の閉合端面は、内凹入浅球面または内凹入切頭テーパ面とし、円形筒の閉合端面中心の円形孔周りの端面上に、少なくとも２つの通気孔が開設される。
そして、前記軟質封止シート中心の柱状凸起の直径は、円形筒端面中心の円形孔の直径よりも略大きく、軟質封止シートの柱状凸起は、締りばめにより円形筒の端面中心の円形孔内に係合して、軟質封止シートを円形筒端面の外部に貼着させて通気孔を閉塞する。
【００１３】
また、前記軟質封止プラグの略形状は、倒置された切頭テーパ管形であり、その底部外径は、環形端カバー上の凸起管の内径よりも略小さく、頂部外径は、環形端カバー上の凸起管の内径よりも略大きくするのが好適である。
なお、前記プッシュロッドの直径は、環形端カバー上の凸起管の内径よりも略小さい。
【考案の効果】
【００１４】
本考案によれば、気嚢内に配置可能であり、携帯に便利で空気の充填も省力化された空気充填装置、この空気充填装置を内蔵した浮袋などの気嚢とすることができる。
【図面の簡単な説明】
【００１５】
【図１】本考案に係る、気嚢内部に配置可能な空気充填装置の断面図である。
【図２】本考案に係る、気嚢内部に配置可能な空気充填装置の軟質封止シートの断面図である。
【図３】本考案に係る、気嚢内部に配置可能な空気充填装置のハンドルと軟質封止プラグ、プッシュロッドとの間の別の接続方式の局部断面図である。
【図４】本考案の他の実施形態に係る、気嚢内部に配置可能な空気充填装置の断面図である。
【図５】本考案に係る、気嚢内部に配置可能な空気充填装置を内蔵した浮輪の概略構造図である。
【図６】本考案に係る、気嚢内部に配置可能な空気充填装置を内蔵した浮輪の空気充填装置の断面図である。
【考案を実施するための形態】
【００１６】
以下、図面に基づき本考案の実施形態を説明する。
図１、図２に示されている通り、本考案に係る気嚢内部に配置可能な空気充填装置は、円形筒１、円形筒１内に配置されるピストン２、ピストン２上に嵌接される封止ゴムリング３、円形筒１の底部に軟質封止シート４、ハンドル５、ハンドル５とピストン２とを接続するプッシュロッド６が含まれる。
【００１７】
さらに、ハンドル５は凸起杆５Ｌを有し、この凸起杆５Ｌ上に嵌接される軟質封止プラグ７、及び円形筒１を気嚢壁上に固定する環状の押圧カバー８が含まれる。
前記円形筒１の頂部端面には、円形筒１と同心で柱状の凸起管９が上向きに延伸しており、凸起管９の内径はプッシュロッド６の外径よりも大きく、円形筒１の内径よりも小さく、凸起管９の外表面には外ネジが加工され、凸起管９の内孔は円形筒１内に連通する開口Ｈを構成している。
【００１８】
環状の押圧カバー８の端面にも円形筒１に向けて延伸する凸起管１０を有し、当該凸起管１０は環状の押圧カバー８と略同心であるが、直径は押圧カバー８よりも小さく、凸起管１０の内表面に凸起管９の外ネジに対応する内ネジが加工され、円形筒１と押圧カバー８とは凸起管９、１０を介して螺合固定接続を形成し、図示省略の気嚢の気嚢壁は押圧カバー８の底部と円形筒１の頂部端面との間に設置され、押圧カバー８を介して円形筒１を気嚢の内部に封止接続し、円形筒１を気嚢内に配置した状態で、気嚢に対して固定する。
【００１９】
円形筒１の他方の底部端面の中心には円形孔が開設され、その端面中心の周りに少なくとも２つの通気孔１１が更に開設される。前記軟質封止シート４は一定程度変形可能であり、中心に柱状凸起１２が設けられ、柱状凸起１２の直径は端面中心の円形孔よりも略大きく、軟質封止シート４の柱状凸起１２は締りばめにより円形筒１底部端面の中心孔内に係合接続して、軟質封止シート４を円形筒底部端面の外部に密着させて、軟質封止シート
４と円形筒１底部端面との封止を更に保証している。円形筒１の底部端面は内凹入浅球面または切頭テーパ面となるように加工され、端面の内凹入は軟質封止シート４を円形筒１底部端面外部に固定した後、自身の弾性で端面の外表面に密着可能であり、それにより端面とのより良好な封止が保証される。
【００２０】
前記軟質封止プラグ７の形状は倒置した切頭テーパ管形で、ハンドル５の凸起杆５Ｌの根元部に嵌接され、その一端（頂部）の外径は円形筒１の凸起管９の内径よりも略大きく、他端（底部）の外径は凸起管９の内径よりも略小さい。
プッシュロッド６の一端は円形筒１内のピストン２に接続され、他端は円形筒の凸起管９の内孔、すなわち円形筒１内と連通する開口Ｈを貫通してハンドル５の凸起杆５Ｌの先端に接続する。プッシュロッド６と凸起管９の内孔との間隙Ｓは、気筒である円形筒１に気体を吸入可能であり、ハンドル５を下に押すと、軟質封止プラグ７が円形筒１の凸起管９の内部に挿入されて封止を完成して、円形筒１内部と外界との封止隔離を保証する。
【００２１】
上記構造を採用すると、ピストン２を前進させて空気を充填する際に、軟質封止シート４が円形筒１内の気圧を受けて開放され、ピストン２を後退させると軟質封止シート４が戻って円形筒１先端の通気孔１１を閉塞し、気筒である円形筒１の底端に狭いエアノズルがないため、空気の充填時に気体は比較的小さな気圧下で先端の通気孔１１を流れ、空気の充填は非常に省力化されるように感じられ、かつ、円形筒１が封止接続装置である押圧カバー８を介して気嚢の内部に接続し、本件考案に係る空気充填装を内蔵した気嚢は携帯に非常に便利である。
【００２２】
図３には、気嚢内部に配置可能な空気充填装置の別種のハンドルと軟質封止プラグ、プッシュロッドとの接続の局部断面図を示している。図３において、ハンドル５’の凸起杆５Ｌ’の先端に環形ボス１４が加工され、軟質封止プラグ７’が凸起杆５Ｌ’上に嵌合して、環形ボス１４とハンドル５’との間に係合され、プッシュロッド６’が凸起杆５Ｌ’の内部孔に挿入されて接続される。
【００２３】
図４には、押圧カバーと円形筒との別の接続方式を示している。
前記円形筒１の頂部端面には、円形筒１内に向けて円形筒と同心の凸起管９が延伸し、凸起管９の内表面に内ネジが加工され、環状の押圧カバー８の端面にも円形筒１に向けて延伸する凸起管１０を有し、当該凸起管１０は環状の押圧カバー８と略同心であるが、直径は押圧カバー８よりも小さく、内径はプッシュロッド６の外径よりも大きく、凸起管１０の内孔は円形筒１内に連通する開口Ｈを構成しており、凸起管１０の外表面には凸起管９の内ネジに対応する外ネジが加工されている。
【００２４】
円形筒１と押圧カバー８とは、凸起管９、１０を介して螺合固定接続を形成し、気嚢壁は押圧カバー８の底部と円形筒１の頂部端面との間に設置され、押圧カバー８を介して円形筒１を気嚢の内部に封止接続し、円形筒１を気嚢内に配置した状態で、気嚢に対して固定する。その他の構造は、上記した実施形態と同様のため、同一符号を付して説明を省略する。
【００２５】
次に、図５、図６には、空気充填装置を内蔵した気嚢の例として浮袋を示している。
空気充填装置を内蔵した浮輪Ｆには、円形筒１、ハンドル５、プッシュロッド６、ピストン２、封止ゴムリング３、浮輪Ｆが含まれ、更に、環状の押圧カバー８、環形端カバー１Ｔ、軟質封止プラグ７、軟質封止シート４が含まれ、環状の押圧カバー８の端面上に環形端カバー１Ｔに向けて延伸する凸起管１０を有し、それは押圧カバー８と略同心であり、凸起管１０の内部に内ネジが加工され、環形端カバー１Ｔの端面上に押圧カバー８に向けて延伸する凸起管９を有し、それは環形端カバー１Ｔと略同心であり、環形端カバー１Ｔ上の凸起管９の外表面に押圧カバー８上の凸起管１０の内ネジに対応する外ネジが加工されている。
【００２６】
円形筒１の内部にはピストン２が挿入され、ピストン２上に封止ゴムリング５が嵌装され、円形筒１の一方の封止端面の中心に円形孔が開設され、その端面中心の周りに少なくとも２つの通気孔１１が更に開設され、その端面は内凹入浅球面または切頭テーパ面であり、円形筒１の他端は環形端カバー１Ｔに粘接される。前記軟質封止シート４の中心は柱状凸起１２であり、柱状凸起１２の直径は円形筒１端面中心の円形孔の直径よりも略大き
く、軟質封止シート４の柱状凸起１２は締りばめにより円形筒１端面中心の円形孔内に係合して、軟質封止シート４を円形筒１端面に外部に貼着させて通気孔１１を閉塞し、円形筒１端面の内凹入は軟質封止シート４を円形筒１端面外部に固定した後、自身の弾性で端面の外表面に密着可能であり、それにより端面とのより良好な封止が保証される。
【００２７】
環形端カバー１Ｔの凸起管９は気嚢壁１５を貫通して押圧カバー８の凸起管１０に螺接し、それにより円形筒１を浮輪Ｆの気嚢内部に封止接続することが可能となる。
プッシュロッド６の一端は円形筒１内のピストン２に接続し、他端は環形端カバー１Ｔ、押圧カバー８の凸起管９、１０を順次貫通した後にハンドル５の凸起杆５Ｌの先端に嵌接して接続され、プッシュロッド６の直径は凸起管９、１０の内径よりも小さく、プッシュロッド６と凸起管９との間に気筒が吸気するための間隙Ｓを有する。
【００２８】
軟質封止プラグ７の略形状は倒置された切頭テーパ管形であり、その底部外径は環形端カバー１Ｔ上の凸起管９の内径よりも小さく、頂部外径は環形端カバー１Ｔ上の凸起管９の内径よりも大きく、この種の形状により軟質封止プラグ７の環形端カバー１Ｔ上の凸起管９への挿入が簡便となるとともに、挿入後の封止も保証される。
当該軟質封止プラグ７はハンドル５の凸起杆５Ｌの根元部に嵌接され、ハンドル５を下に押すと、軟質封止プラグ７が環形端カバー１Ｔ上の凸起管９の内部に挿入されて封止が完成し、円形筒１の内部と外界との封止隔離が保証される。浮輪Ｆ上には一般のエアノズルが接続され、開放時には気嚢内の気体を放出することができる。
【００２９】
なお、本考案における円形筒１の底部の軟質封止シート４と円形筒１の底部端面との接続、押圧カバー８と円形筒１との間の接続、ハンドル５と軟質封止プラグ７との間の接続、プッシュロッド６とハンドル５及びピストン２との間の接続は、いずれも上記接続方式に限定されず、以下の接続方式も可能である。
軟質封止シートの中心に円形孔を加工した後、ネジまたはリベットにより円形筒底部の端面上に固定する。押圧カバーと円形筒との間は接着剤を塗布した接着接続、プラスチック溶着、係止接続、高周波熱溶着も可能である。プッシュロッドとハンドル及びピストンとの間は、プッシュロッドの両端にネジを加工した後に、螺合することも可能であり、トイカーの金属車軸と車輪とを挿接するように、プッシュロッドの両端に滑り止め模様をプレスした後、内径がプッシュロッドの外径よりも略小さいピストンを挿入し、ハンドル対応の円形孔内に接続することも可能であり、ハンドルと軟質封止プラグとの間は接着剤により接続するか、または封止プラグをハンドルの凸起杆に嵌装した後にプッシュロッドのナットにより封止プラグを固定することもできる。
【００３０】
上記異なる接続方式は、更に組合せを変更して複数種類の実施方式とすることができるが、いずれにしろ、押圧カバーにより円形筒を気嚢内部に封止固定するとともに、ハンドル上に接続する軟質封止プラグで押圧カバーと円形筒との接続箇所の円形孔を封止する構造であれば、すべて本考案の保護範囲内である。
【符号の説明】
【００３１】
１ 円形筒
２ ピストン
３ 封止ゴムリング
４ 軟質封止シート
５ ハンドル
５Ｌ   凸起杆
６ プッシュロッド
７ 軟質封止プラグ
８ 押圧カバー
９ 凸起管（円形筒の凸起管）
１０ 凸起管（押圧カバーの凸起管）
１１ 通気孔
１２ 柱状凸起
【図１】
0003169567.tif 000003
【図２】
0003169567.tif 000004
【図３】
0003169567.tif 000005
【図４】
0003169567.tif 000006
【図５】
0003169567.tif 000007
【図６】
0003169567.tif 000008